(57)【特許請求の範囲】
【請求項１】
有形の商品の識別情報と該商品を描画するための描画用データとを関連付けて蓄積する商品データベースと、
前記描画用データを、前記商品データベースから取得してユーザ端末に送信するデータ送信手段と、
前記商品に係る前記描画用データの、所定の期間に限定された表示権限を、該商品を獲得していない未獲得ユーザに付与する第一の権限付与手段と、
前記ユーザ端末からの抽選要求に応じて、商品の抽選を行う抽選手段と、
前記抽選の結果獲得された有形の商品を前記ユーザに対応する所定の場所に送付するための指示を出力する送付指示手段と、
前記抽選の結果獲得された商品に係る前記描画用データの、前記所定の期間に限定されない表示権限を、獲得ユーザに付与する第二の権限付与手段と、
を備えるサーバ装置。
【請求項２】
前記描画用データは、前記商品を拡張現実空間に描画するためのデータを含む、
請求項１に記載のサーバ装置。
【請求項３】
前記所定の期間は、前記商品の抽選可能期間及び抽選告知期間の少なくとも何れか一方を含む期間である、
請求項１又は２に記載のサーバ装置。
【請求項４】
前記商品の送付先として指定可能な場所の情報を蓄積する場所データベースと、
前記抽選の存在を前記ユーザが認知した場所を特定可能な情報を、該ユーザのユーザ端末から取得する場所情報取得手段とを更に備え、
前記送付指示手段は、前記ユーザ端末から取得された前記場所を特定可能な情報に基づいて、前記抽選の存在を前記ユーザが認知した場所を前記場所データベースから特定して、前記抽選の結果獲得された有形の商品を、特定された場所に送付するための指示を出力する、
請求項１から３の何れか一項に記載のサーバ装置。
【請求項５】
表示装置を備える情報処理装置を、
有形の商品の識別情報と該商品を描画するための描画用データとを、サーバ装置から取得するデータ取得手段と、
未獲得の商品に係る前記描画用データの、所定の期間に限定された表示権限を、前記サーバ装置から取得する、第一の権限取得手段と、
前記描画用データに基づいて描画された商品画像を含む商品確認画像を生成する画像生成手段と、
前記商品確認画像を前記表示装置に出力する画像出力手段と、
前記商品の抽選要求をサーバ装置に送信する抽選要求手段と、
前記抽選要求に応じて行われた抽選の結果獲得された商品に係る前記描画用データの、前記所定の期間に限定されない表示権限を、前記サーバ装置から取得する、第二の権限取得手段と、
として機能させるプログラム。
【請求項６】
前記情報処理装置は、カメラを更に備え、
前記画像生成手段は、前記商品確認画像として、前記カメラからの入力画像に、前記描画用データに基づいて描画された商品画像を合成した拡張現実画像を生成する、
請求項５に記載のプログラム。
【請求項７】
前記情報処理装置を、
前記ユーザが前記抽選の存在を認知した場所を特定可能な情報を、前記商品が獲得された場合の有形の商品の送付先を特定するための情報として前記サーバ装置に通知する場所情報通知手段として更に機能させる、
請求項５又は６に記載のプログラム。
【請求項８】
有形の商品の識別情報と該商品を描画するための描画用データとを関連付けて蓄積する商品データベースを備えるコンピュータが、
前記描画用データを、前記商品データベースから取得してユーザ端末に送信するデータ送信ステップと、
前記商品に係る前記描画用データの、所定の期間に限定された表示権限を、該商品を獲得していない未獲得ユーザに付与する第一の権限付与ステップと、
前記ユーザ端末からの抽選要求に応じて、商品の抽選を行う抽選ステップと、
前記抽選の結果獲得された有形の商品を前記ユーザに対応する所定の場所に送付するための指示を出力する送付指示ステップと、
前記抽選の結果獲得された商品に係る前記描画用データの、前記所定の期間に限定されない表示権限を、獲得ユーザに付与する第二の権限付与ステップとを実行する、
方法。
【請求項９】
有形の商品の識別情報と該商品を描画するための描画用データとを関連付けて蓄積する商品データベースを備えるコンピュータを、
前記描画用データを、前記商品データベースから取得してユーザ端末に送信するデータ送信手段と、
前記商品に係る前記描画用データの、所定の期間に限定された表示権限を、該商品を獲得していない未獲得ユーザに付与する第一の権限付与手段と、
前記ユーザ端末からの抽選要求に応じて、商品の抽選を行う抽選手段と、
前記抽選の結果獲得された有形の商品を前記ユーザに対応する所定の場所に送付するための指示を出力する送付指示手段と、
前記抽選の結果獲得された商品に係る前記描画用データの、前記所定の期間に限定されない表示権限を、獲得ユーザに付与する第二の権限付与手段として機能させる、
プログラム。
【発明の詳細な説明】
【技術分野】
【０００１】
本開示の実施形態の少なくとも１つは、商品の抽選を行うためのプログラム、サーバ装置及び方法に関する。
【背景技術】
【０００２】
従来、携帯端末が、位置情報に基づいた地図描画情報及びトイスポットの位置情報を用いて所定領域範囲内の複数のトイスポットを携帯端末画面の地図に表示し、表示された複数のトイスポットから特定のトイスポットが指接触操作機能を用いてユーザにより選択されたとき、携帯端末画面に前記特定されたトイスポットの回転ハンドル付きの仮想カプセルトイを表示させ、ハンドル回転操作がユーザにより行われたとき、特定のトイスポットにおけるカプセルトイの抽選をゲームサーバに指示し、ゲームサーバが受信した特定スポットにおける複数の景品ＩＤを対応情報テーブルから抽出し、抽出した複数の景品ＩＤから１つの景品ＩＤを選択して携帯端末に送信し、現物のカプセルトイをユーザに配送する仮想カプセルトイゲーム方法が提案されている（特許文献１を参照）。
【０００３】
また、クレーンゲームを行うことにより二次元バーコード印刷またはＲＦＩＤ埋め込みの景品を得て、業務用ドライブゲーム機や携帯電話ゲーム機でゲームを行う際に、景品の二次元バーコードまたはＲＦＩＤから送られる情報を得て、ゲーム内の仮想空間に景品の情報を取り入れ、仮想空間内で置物などとして使用できる技術が提案されている（特許文献２を参照）。
【先行技術文献】
【特許文献】
【０００４】
【特許文献１】特開２０２０−０１１００４号公報
【特許文献２】特開２０１２−２５４２１７号公報
【発明の概要】
【発明が解決しようとする課題】
【０００５】
従来、抽選の結果に応じてユーザが商品を獲得するサービスが提供されている。しかし、このようなサービスでは、獲得出来る可能性がある商品をユーザに確認させるために、商品の実物が展示されており、商品展開に制約があった。一方、従来、購入前商品の描画用データを購入希望者に提供することで購入希望者に商品の詳細を確認させることが行われているが（例えば、所謂拡張現実（Ａｕｇｍｅｎｔｅｄ  Ｒｅａｌｉｔｙ。以下、単に「ＡＲ」と称する）の技術を用いる方法がある）、未購入の消費者に商品の描画用データを提供した場合、消費者の商品に対する所有欲が一部満たされ、商品の販売に影響を与える可能性がある。
【０００６】
本開示の少なくとも１つの実施形態の目的は、上記課題を解決し、抽選を介して商品が獲得されるサービスにおいて、消費者の利便性や購入意欲を減退させることなく、商品展開の制約を少なくすることである。
【課題を解決するための手段】
【０００７】
非限定的な観点によると、本開示の一側面は、有形の商品の識別情報と該商品を描画するための描画用データとを関連付けて蓄積する商品データベースと、前記描画用データを、前記商品データベースから取得してユーザ端末に送信するデータ送信手段と、前記商品に係る前記描画用データの、所定の期間に限定された表示権限を、該商品を獲得していない未獲得ユーザに付与する第一の権限付与手段と、前記ユーザ端末からの抽選要求に応じて、商品の抽選を行う抽選手段と、前記抽選の結果獲得された有形の商品を前記ユーザに対応する所定の場所に送付するための指示を出力する送付指示手段と、前記抽選の結果獲得された商品に係る前記描画用データの、前記所定の期間に限定されない表示権限を、獲得ユーザに付与する第二の権限付与手段と、を備えるサーバ装置である。
【０００８】
また、非限定的な観点によると、本開示の一側面は、表示装置を備える情報処理装置を、有形の商品の識別情報と該商品を描画するための描画用データとを、サーバから取得するデータ取得手段と、未獲得の商品に係る前記描画用データの、所定の期間に限定された表示権限を、前記サーバから取得する、第一の権限取得手段と、前記描画用データに基づいて描画された商品画像を含む商品確認画像を生成する画像生成手段と、前記商品確認画像を前記表示装置に出力する画像出力手段と、前記商品の抽選要求をサーバに送信する抽選要求手段と、前記抽選要求に応じて行われた抽選の結果獲得された商品に係る前記描画用データの、前記所定の期間に限定されない表示権限を、前記サーバから取得する、第二の権限取得手段と、として機能させるプログラムとして捉えることも可能である。
【０００９】
なお、本開示は、情報処理装置、情報処理システム、コンピュータによって実行される方法、又はコンピュータに実行させるプログラムとして把握することが可能である。また、本開示は、そのようなプログラムをコンピュータその他の装置、機械等が読み取り可能な記録媒体に記録したものとしても把握できる。ここで、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００１０】
本願の各実施形態により１または２以上の不足が解決される。
【図面の簡単な説明】
【００１１】
【図１】本開示の実施形態の少なくとも一つに対応するサーバ装置の機能構成の概略を示す図である。
【図２】本開示の実施形態の少なくとも一つに対応するサーバ装置側処理の流れを示すフローチャートである。
【図３】本開示の実施形態の少なくとも一つに対応するサーバ装置の機能構成の概略を示す図である。
【図４】本開示の実施形態の少なくとも一つに対応するサーバ装置側処理の流れを示すフローチャートである。
【図５】本開示の実施形態の少なくとも一つに対応するサーバ装置の機能構成の概略を示す図である。
【図６】本開示の実施形態の少なくとも一つに対応するユーザ装置側処理の流れを示すフローチャートである。
【図７】本開示の実施形態の少なくとも一つに対応するサーバ装置の機能構成の概略を示す図である。
【図８】本開示の実施形態の少なくとも一つに対応するユーザ装置側処理の流れを示すフローチャートである。
【図９】本開示の実施形態の少なくとも一つに対応する情報処理システムの構成の概略を示す図である。
【図１０】本開示の実施形態の少なくとも一つに対応するサーバ装置の機能構成の概略を示す図である。
【図１１】本開示の実施形態の少なくとも一つに対応する抽選イベント処理の流れを示すシーケンス図である。
【図１２】本開示の実施形態の少なくとも一つに対応する商品確認画像（回転可能表示画面）が表示されたユーザ端末を示す図である。
【図１３】本開示の実施形態の少なくとも一つに対応する商品確認画像（ＡＲ表示画面）が表示されたユーザ端末を示す図である。
【図１４】本開示の実施形態の少なくとも一つに対応する抽選演出画面が表示されたユーザ端末を示す図である。
【発明を実施するための形態】
【００１２】
以下、本開示の実施形態の例について図面を参照して説明する。なお、以下に説明する実施の形態は、本開示を実施する場合の一例を示すものであって、本開示を以下に説明する具体的構成に限定するものではない。本開示の実施にあたっては、実施の形態に応じた具体的構成が適宜採用されてよい。
【００１３】
また、以下で説明する各実施形態の例における各種構成要素は、矛盾等が生じない範囲で適宜組み合わせ可能である。また、ある実施形態の例として説明した内容については、他の実施形態においてその説明を省略している場合がある。また、各実施形態の特徴部分に関係しない動作や処理については、その内容を省略している場合がある。さらに、以下で説明する各種フローを構成する各種処理の順序は、処理内容に矛盾等が生じない範囲で順不同である。
【００１４】
［第一の実施形態］
＜装置の構成＞
図１は、本実施形態に係るサーバ装置１ａの機能構成の概略を示す図である。本実施形態に係るサーバ装置１ａは、プロセッサが、各種メモリに展開された各種プログラムを解釈及び実行することで、商品データベース２１、データ送信部２３、抽選部２４、送付指示部２６、第一の権限付与部２７及び第二の権限付与部２８を備える情報処理装置として機能する。本実施形態では、これらの機能がいずれも汎用のプロセッサによって実行される例について説明するが、これらの機能は、その一部又は全部が、１又は複数の専用のプロセッサによって実現されてもよい。また、サーバ装置１ａが備える各機能部は、遠隔に、及び／又は分散して（例えば、クラウド上に）実装されてよい。また、これらの機能部は、単一のソフトウェアモジュールではなく、複数のソフトウェアモジュールによって実現されていてもよい。
【００１５】
商品データベース２１は、有形の商品の識別情報と当該商品を描画するための描画用データとを関連付けて蓄積する。ここで、描画用データは、例えば、仮想空間内に配置されて仮想カメラによって撮像されることで、対象を任意の方向から見た画像を生成可能な三次元モデルデータ（以下、単に「３Ｄモデルデータ」と称する）等である。
【００１６】
データ送信部２３は、描画用データを、商品データベース２１から取得してユーザ端末に送信する。
【００１７】
抽選部２４は、ユーザ端末からの抽選要求に応じて、商品の抽選を行う。抽選は、例えば乱数を生成することによって行われ、抽選の結果として、ユーザが獲得した商品の識別子が出力される。
【００１８】
送付指示部２６は、抽選の結果獲得された有形の商品をユーザに対応する所定の場所に送付するための指示を出力する。なお、後述する他の実施形態では、商品の送付先が店舗である例について説明しているが、商品の送付先は店舗に限定されない。例えば、商品は、ユーザの居所（自宅や職場等）に送付されてもよい。
【００１９】
第一の権限付与部２７は、商品に係る描画用データの、所定の期間に限定された表示権限を、商品を未だ獲得していない未獲得ユーザに付与する。
【００２０】
第二の権限付与部２８は、抽選の結果獲得された商品に係る描画用データの、所定の期間に限定されない表示権限を、獲得ユーザに付与する。
【００２１】
＜処理の流れ＞
次に、本実施形態において実行される処理の流れを説明する。なお、実施形態に係るフローチャートに示された処理の具体的な内容及び処理順序は、本開示を実施するための一例である。具体的な処理内容及び処理順序は、本開示の実施の形態に応じて適宜選択されてよい。
【００２２】
図２は、第一の実施形態に係るサーバ装置側処理の流れを示すフローチャートである。本フローチャートに示された処理は、ユーザ端末によって送信された、商品の描画用データの要求が受信されたことを契機として実行される。
【００２３】
ステップＳ１０１からステップＳ１０３では、ユーザ端末に対する描画用データの表示権限付与及びデータ送信が行われる。データ送信部２３は、商品の描画用データを商品データベース２１から取得し（ステップＳ１０１）、第一の権限付与部２７は、商品に係る描画用データの、所定の期間に限定された表示権限を、未獲得ユーザに付与する（ステップＳ１０２）。そして、サーバ装置１ａは、商品データベース２１から取得された描画用データ及び当該描画用データの表示権限付与のための情報を、ユーザ端末に対して送信する（ステップＳ１０３）。その後、処理はステップＳ１０４へ進む。
【００２４】
ステップＳ１０４及びステップＳ１０５では、商品の抽選が行われる。ユーザ端末から送信された抽選要求が受信されると（ステップＳ１０４）、抽選部２４は、商品の抽選を行う（ステップＳ１０５）。なお、抽選部２４による抽選は、必ず何らかの商品が獲得される抽選であってもよいし、商品が獲得されない可能性がある抽選であってもよい。抽選によって何の商品も獲得されなかった場合、本フローチャートに示された処理は終了する。抽選によって何らかの商品が獲得された場合、処理はステップＳ１０６へ進む。
【００２５】
ステップＳ１０６及びステップＳ１０７では、獲得された商品の描画用データの表示権限付与、及び獲得された商品の発送手配が行われる。抽選の結果、商品が獲得されると、第二の権限付与部２８は、抽選の結果獲得された商品に係る描画用データの、所定の期間に限定されない表示権限を、獲得ユーザに付与する（ステップＳ１０６）。このため、獲得ユーザは、獲得された商品に係る描画用データを、所定の期間を過ぎた後も、ユーザの所望のタイミングで、抽選用のアプリケーションソフトウェア又はその他のアプリケーションソフトウェアに描画させ、表示させることが出来る。また、送付指示部２６は、抽選の結果獲得された有形の商品をユーザに対応する所定の場所に送付するための指示を出力する（ステップＳ１０７）。このため、獲得ユーザは、獲得された商品を、所定の場所において受け取ることが出来る。その後、本フローチャートに示された処理は終了する。
【００２６】
上記説明したように、本開示の一側面として、商品データベース２１、データ送信部２３、抽選部２４、送付指示部２６、第一の権限付与部２７及び第二の権限付与部２８を備える。このため、本開示の一側面によれば、消費者の利便性や購入意欲を減退させることなく、商品展開の制約を少なくすることが可能となる。
【００２７】
［第二の実施形態］
次に、第二の実施形態を説明する。第一の実施形態と共通する構成及び処理内容については、第一の実施形態を参照するものとし、説明を省略する。
【００２８】
＜装置の構成＞
図３は、本実施形態に係るサーバ装置１ｂの機能構成の概略を示す図である。本実施形態に係るサーバ装置１ｂは、図１を参照して第一の実施形態で説明した商品データベース２１、データ送信部２３、抽選部２４、送付指示部２６、第一の権限付与部２７及び第二の権限付与部２８に加えて、場所データベース２２及び場所情報取得部２５を備える。更に、本実施形態では、送付指示部２６による処理の内容が、第一の実施形態において説明した処理の内容と異なる。
【００２９】
場所データベース２２は、商品の送付先として指定可能な場所の情報（施設ＩＤや位置情報、住所等）を蓄積する。
【００３０】
場所情報取得部２５は、抽選の存在をユーザが認知した場所を特定可能な情報（ユーザによって選択された施設の施設ＩＤ、ユーザ端末の位置情報、ユーザ端末側で位置情報に基づいて特定された施設ＩＤ、ユーザによって入力された住所、等）を、当該ユーザのユーザ端末から取得する。
【００３１】
第二の実施形態において、送付指示部２６は、ユーザ端末から取得された場所を特定可能な情報に基づいて、抽選の存在をユーザが認知した場所を場所データベース２２から特定して、抽選の結果獲得された有形の商品を、特定された場所に送付するための指示を出力する。
【００３２】
＜処理の流れ＞
次に、本実施形態において実行される処理の流れを説明する。なお、実施形態に係るフローチャートに示された処理の具体的な内容及び処理順序は、本開示を実施するための一例である。具体的な処理内容及び処理順序は、本開示の実施の形態に応じて適宜選択されてよい。
【００３３】
図４は、第二の実施形態に係るサーバ装置側処理の流れを示すフローチャートである。本フローチャートに示された処理は、ユーザ端末によって送信された、商品の描画用データの要求が受信されたことを契機として実行される。
【００３４】
ステップＳ２０１からステップＳ２０６に示された処理は、図２を用いて説明したステップＳ１０１からステップＳ１０６の処理と概略同様であるため、説明を省略する。その後、処理はステップＳ２０７へ進む。
【００３５】
ステップＳ２０７からステップＳ２０９では、ユーザ端末から取得された情報に基づいて特定された場所への、獲得された商品の発送手配が行われる。場所情報取得部２５は、抽選の存在をユーザが認知した場所を特定可能な情報を、当該ユーザのユーザ端末から取得する（ステップＳ２０７）。なお、本実施形態では、抽選後のタイミングで場所を特定可能な情報をユーザ端末から取得することとしているが、当該情報は商品の送付指示の前に取得されていればよく、当該情報の取得タイミングは、本フローチャートに示された例に限定されない。送付指示部２６は、ユーザ端末から取得された、場所を特定可能な情報に基づいて、当該場所を場所データベース２２から特定して（ステップＳ２０８）、抽選の結果獲得された有形の商品を、取得された場所に送付するための指示を出力する（ステップＳ２０９）。その後、本フローチャートに示された処理は終了する。
【００３６】
上記説明したように、本開示の一側面として、サーバ装置１ｂは、商品データベース２１、場所データベース２２、データ送信部２３、抽選部２４、場所情報取得部２５、送付指示部２６、第一の権限付与部２７及び第二の権限付与部２８を備え、送付指示部２６は、ユーザ端末から取得された場所を特定可能な情報に基づいて、抽選の存在をユーザが認知した場所を場所データベース２２から特定して、抽選の結果獲得された有形の商品を、特定された場所に送付するための指示を出力する。このため、本開示の一側面によれば、抽選の存在をユーザが認知した場所（例えば、店舗）と、獲得商品が送付される場所（ユーザが獲得商品を受け取る場所）とを一致させることが可能となる。
【００３７】
［第三の実施形態］
次に、第三の実施形態を説明する。第一の実施形態と共通する構成及び処理内容については、第一の実施形態を参照するものとし、説明を省略する。
【００３８】
＜装置の構成＞
図５は、本実施形態に係るユーザ端末３ａの機能構成の概略を示す図である。本実施形態に係るユーザ端末３ａは、プロセッサが、各種メモリに展開された各種プログラムを解釈及び実行することで、データ取得部４１、画像生成部４２、画像出力部４３、抽選要求部４４、第一の権限取得部４６及び第二の権限取得部４７を備える情報処理装置として機能する。本実施形態では、これらの機能がいずれも汎用のプロセッサによって実行される例について説明するが、これらの機能は、その一部又は全部が、１又は複数の専用のプロセッサによって実現されてもよい。また、ユーザ端末３ａが備える各機能部は、遠隔に、及び／又は分散して（例えば、クラウド上に）実装されてよい。また、これらの機能部は、単一のソフトウェアモジュールではなく、複数のソフトウェアモジュールによって実現されていてもよい。
【００３９】
データ取得部４１は、有形の商品の識別情報と当該商品を描画するための描画用データとを、サーバ装置から取得する。
【００４０】
画像生成部４２は、描画用データに基づいて描画された商品画像を含む商品確認画像を生成する。
【００４１】
画像出力部４３は、商品確認画像を、ユーザ端末３ａが備える表示装置に出力する。
【００４２】
抽選要求部４４は、商品の抽選要求をサーバ装置に送信する。
【００４３】
第一の権限取得部４６は、未獲得の商品に係る描画用データの、所定の期間に限定された表示権限を、サーバ装置から取得する。
【００４４】
第二の権限取得部４７は、抽選要求に応じて行われた抽選の結果獲得された商品に係る描画用データの、所定の期間に限定されない表示権限を、サーバ装置から取得する。
【００４５】
＜処理の流れ＞
次に、本実施形態において実行される処理の流れを説明する。なお、実施形態に係るフローチャートに示された処理の具体的な内容及び処理順序は、本開示を実施するための一例である。具体的な処理内容及び処理順序は、本開示の実施の形態に応じて適宜選択されてよい。
【００４６】
図６は、第三の実施形態に係るユーザ装置側処理の流れを示すフローチャートである。本フローチャートに示された処理は、サーバ装置によって送信された、商品の描画用データが受信されたことを契機として実行される。
【００４７】
ステップＳ３０１及びステップＳ３０２では、描画用データ及び描画用データの表示権限が取得される。データ取得部４１は、有形の商品の識別情報と当該商品を描画するための描画用データとを、サーバ装置から取得する（ステップＳ３０１）。そして、第一の権限取得部４６は、未獲得の商品に係る描画用データの、所定の期間に限定された表示権限を、サーバ装置から取得する（ステップＳ３０２）。その後、処理はステップＳ３０３へ進む。
【００４８】
ステップＳ３０３からステップＳ３０５では、商品を確認するための画像が生成及び出力され、抽選要求が送信される。画像生成部４２は、描画用データに基づいて描画された商品画像を含む商品確認画像を生成する（ステップＳ３０３）。そして、画像出力部４３は、商品確認画像を表示装置に出力する（ステップＳ３０４）。このため、ユーザは、抽選前の商品を、画像で確認することが出来る。商品を画像で確認したユーザによる操作に基づいて、抽選要求部４４は、商品の抽選要求をサーバ装置に送信する（ステップＳ３０５）。その後、処理はステップＳ３０６へ進む。
【００４９】
ステップＳ３０６からステップＳ３０８では、獲得された商品の描画用データの表示権限が取得され、獲得商品の画像が生成及び出力される。第二の権限取得部４７は、抽選要求に応じて行われた抽選の結果獲得された商品に係る描画用データの、所定の期間に限定されない表示権限を、サーバ装置から取得する（ステップＳ３０６）。ここで取得された表示権限は、所定の期間に限定されない表示権限であるため、獲得ユーザは、獲得された商品に係る描画用データを、所定の期間を過ぎた後も、ユーザの所望のタイミングで、抽選用のアプリケーションソフトウェア又はその他のアプリケーションソフトウェアに描画させ（ステップＳ３０７）、表示させる（ステップＳ３０８）ことが出来る。その後、本フローチャートに示された処理は終了する。
【００５０】
上記説明したように、本開示の一側面として、ユーザ端末３ａは、データ取得部４１、画像生成部４２、画像出力部４３、抽選要求部４４、第一の権限取得部４６及び第二の権限取得部４７を備える。このため、本開示の一側面によれば、消費者の利便性や購入意欲を減退させることなく、商品展開の制約を少なくすることが可能となる。
【００５１】
［第四の実施形態］
次に、第四の実施形態を説明する。第三の実施形態と共通する構成及び処理内容については、第三の実施形態を参照するものとし、説明を省略する。
【００５２】
＜装置の構成＞
図７は、本実施形態に係るユーザ端末３ｂの機能構成の概略を示す図である。本実施形態に係るユーザ端末３ｂは、図５を参照して第三の実施形態で説明したデータ取得部４１、画像生成部４２、画像出力部４３、抽選要求部４４、第一の権限取得部４６及び第二の権限取得部４７に加えて、場所情報通知部４５を備える。
【００５３】
場所情報通知部４５は、ユーザが抽選の存在を認知した場所を特定可能な情報を、商品が獲得された場合の有形の商品の送付先を特定するための情報としてサーバ装置に通知する。
【００５４】
＜処理の流れ＞
次に、本実施形態において実行される処理の流れを説明する。なお、実施形態に係るフローチャートに示された処理の具体的な内容及び処理順序は、本開示を実施するための一例である。具体的な処理内容及び処理順序は、本開示の実施の形態に応じて適宜選択されてよい。
【００５５】
図８は、第四の実施形態に係るユーザ装置側処理の流れを示すフローチャートである。本フローチャートに示された処理は、サーバ装置によって送信された、商品の描画用データが受信されたことを契機として実行される。
【００５６】
ステップＳ４０１からステップＳ４０６に示された処理は、図６を用いて説明したステップＳ３０１からステップＳ３０６の処理と概略同様であるため、説明を省略する。その後、処理はステップＳ４０７へ進む。
【００５７】
ステップＳ４０７では、商品の送付先、又は当該送付先を特定するための情報が送信される。場所情報通知部４５は、ユーザが抽選の存在を認知した場所を特定可能な情報を、商品が獲得された場合の有形の商品の送付先を特定するための情報としてサーバ装置に通知する。その後、処理はステップＳ４０８へ進む。
【００５８】
ステップＳ４０８及びステップＳ４０９に示された処理は、図６を用いて説明したステップＳ３０７及びステップＳ３０８の処理と概略同様であるため、説明を省略する。その後、本フローチャートに示された処理は終了する。
【００５９】
上記説明したように、本開示の一側面として、ユーザ端末３ｂは、データ取得部４１、画像生成部４２、画像出力部４３、抽選要求部４４、場所情報通知部４５、第一の権限取得部４６及び第二の権限取得部４７を備える。このため、本開示の一側面によれば、抽選の存在をユーザが認知した場所（例えば、店舗）と、獲得商品が送付される場所（ユーザが獲得商品を受け取る場所）とを一致させることが可能となる。
【００６０】
［第五の実施形態］
＜装置の構成＞
図９は、本実施形態に係る情報処理システム９の構成の概略を示す図である。本実施形態における情報処理システム９は、インターネット等のネットワークに接続されたサーバ装置１及び複数のユーザ端末３を有している。サーバ装置１は、複数のユーザ端末３が利用可能なオンラインくじサービスのためのサーバ装置１である。サーバ装置１が提供するサービスとしては、例えばキャラクターグッズやキャラクターフィギュアの抽選イベント等があるが、本開示に係る技術を適用可能なサービスは、本実施形態における例示に限定されない。また、ユーザ端末３は、ユーザによって使用される情報処理装置である。ユーザ端末３としては、様々な種類の装置を用いることが可能であり、例えば、パーソナルコンピュータ、スマートフォン、携帯ゲーム装置、据え置きゲーム装置、ウェアラブルな電子機器（例えば、ＶＲ（Ｖｉｒｔｕａｌ  Ｒｅａｌｉｔｙ）ヘッドセットやスマートウォッチ等）等が挙げられるが、その種類は限定されない。
【００６１】
サーバ装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、補助記憶装置１４と、ネットワークを介した外部との通信を行うためのネットワークインターフェイス１５と、が有線又は無線接続された情報処理装置である。なお、サーバ装置１の具体的なハードウェア構成に関しては、実施の形態に応じて適宜構成要素の省略や置換、追加が行われてよい。
【００６２】
ＣＰＵ１１は、ＲＯＭ１２及びＲＡＭ１３等に展開された命令及びデータを処理することで、ＲＡＭ１３、補助記憶装置１４等の、サーバ装置１に備えられた各構成を制御する。また、ＲＡＭ１３は、主記憶装置であり、ＣＰＵ１１によって制御され、各種命令やデータが書き込まれ、読み出される。即ち、ＣＰＵ１１、ＲＯＭ１２及びＲＡＭ１３は、サーバ装置１の制御部を構成する。
【００６３】
補助記憶装置１４は、不揮発性の記憶装置であり、主にサーバ装置１の電源を落としても保持したい情報、例えば、ＲＡＭ１３にロードされるサーバ装置１のＯＳ（Ｏｐｅｒａｔｉｎｇ  Ｓｙｓｔｅｍ）や、後述する処理を実行するための各種プログラムの他、サーバ装置１によって使用される各種データが書き込まれ、読み出される。補助記憶装置１４としては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やＨＤＤ（Ｈａｒｄ  Ｄｉｓｋ  Ｄｒｉｖｅ）等を用いることが出来る。
【００６４】
ユーザ端末３は、ＣＰＵ３１と、ＲＯＭ３２と、ＲＡＭ３３と、補助記憶装置３４と、ネットワークインターフェイス３５と、入力装置３６と、出力装置３７と、が有線又は無線接続された情報処理装置である。なお、ユーザ端末３の具体的なハードウェア構成に関しては、実施の形態に応じて適宜構成要素の省略や置換、追加が行われてよい。
【００６５】
入力装置３６には、ボタン、スティック、キーボード、マウス、トラックボール、タッチセンサ、加速度センサ、角速度センサ、カメラ、深度センサ、マイクロフォン等の様々な装置を採用することが出来る。出力装置３７には、表示装置、スピーカ、振動子、又はＬＥＤ等の様々な装置を採用することが出来る。また、タッチパネル付ディスプレイを採用することで、入力装置３６と出力装置３７とが併せて提供されてもよい。
【００６６】
また、ユーザ端末３の補助記憶装置３４には、サーバ装置１の補助記憶装置１４として例示されたものの他、着脱可能に装着される可搬媒体が用いられてもよい。可搬媒体の例としては、ＲＯＭ等を含むカード／カートリッジ型媒体、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）及びＢＤ（Ｂｌｕ−ｒａｙ（登録商標）  Ｄｉｓｃ）等が挙げられる。可搬媒体による補助記憶装置と、可搬型ではない補助記憶装置とは、組み合わせて用いることも可能である。
【００６７】
本実施形態に開示されたシステム９によって提供されるサービス（以下、「本サービス」）は、ＡＲを活用したオンラインくじサービスである。本サービスにおいて、ユーザはオンラインでくじをひき、獲得商品は受注生産され、生産完了後にユーザー指定の店舗（例えば、コンビニエンスストア）に配送され、獲得ユーザは当該店舗にて商品を受け取る。また、くじの抽選に際して、ユーザは、くじを選択し、ＡＲで商品の詳細を確認し、くじ引きを行う。くじ引きの結果、商品が当たった場合、獲得ユーザは、同一種類の商品が初回獲得された際に限り、当該商品の画像をＡＲで描画・表示可能な描画用データの、期間を限定されない（例えば、サービスが継続する限り継続する）表示権限も受け取ることが出来る。
【００６８】
なお、本実施形態では、同一種類の商品が初回獲得された際に限り描画用データの権限が付与される例について説明するが、権限が付与されるタイミングは、本実施形態に示された例に限定されない。例えば、同一種類の商品が獲得される度に、同時にＡＲ表示可能な描画用データの数が追加されるように権限が付与されてもよい。即ち、抽選によって同一種類の商品をｎ個獲得したユーザには、当該商品の画像を同時にｎ個ＡＲ表示可能な権限が与えられてもよい。
【００６９】
図１０は、本実施形態に係る情報処理システム９の機能構成の概略を示す図である。本実施形態に係るサーバ装置１は、ＣＰＵ１１が、ＲＯＭ１２及びＲＡＭ１３等に展開された各種プログラムを解釈及び実行することで、商品データベース２１、場所データベース２２、データ送信部２３、抽選部２４、場所情報取得部２５、送付指示部２６、第一の権限付与部２７及び第二の権限付与部２８を備える情報処理装置として機能する。本実施形態では、これらの機能がいずれも汎用のＣＰＵ１１によって実行される例について説明するが、これらの機能は、その一部又は全部が、１又は複数の専用のプロセッサによって実現されてもよい。また、サーバ装置１が備える各機能部は、遠隔に、及び／又は分散して（例えば、クラウド上に）実装されてよい。また、これらの機能部は、単一のソフトウェアモジュールではなく、複数のソフトウェアモジュールによって実現されていてもよい。
【００７０】
商品データベース２１は、有形の商品の識別情報と当該商品を描画するための描画用データとを関連付けて蓄積する。ここで、描画用データは、例えば、仮想空間内に配置されて仮想カメラによって撮像されることで、対象を任意の方向から見た画像を生成可能な三次元モデルデータ（以下、単に「３Ｄモデルデータ」と称する）等である。描画用データは、商品を拡張現実空間に描画するためのデータを含む。
【００７１】
場所データベース２２は、商品の送付先として指定可能な場所の情報（施設ＩＤや位置情報、住所等）を蓄積する。本実施形態では、商品の送付先として商品配送企業の店舗が利用されるため、場所データベース２２には、店舗ＩＤ、店舗名称、住所、位置情報及び当該店舗を担当する配送センター等の情報が、店舗毎に関連付けられて蓄積される。
【００７２】
データ送信部２３は、描画用データを、商品データベース２１から取得してユーザ端末３に送信する。
【００７３】
抽選部２４は、ユーザ端末３からの抽選要求に応じて、商品の抽選を行う。抽選は、例えば乱数を生成することによって行われ、抽選の結果として、ユーザが獲得した商品の識別子が出力される。
【００７４】
場所情報取得部２５は、抽選の存在をユーザが認知した場所を特定可能な情報（例えば、ユーザによって選択された施設の施設ＩＤ、ユーザ端末３の位置情報、ユーザ端末３側で位置情報に基づいて特定された施設ＩＤ、ユーザによって入力された住所、等）を、当該ユーザのユーザ端末３から取得する。
【００７５】
送付指示部２６は、ユーザ端末３から取得された場所を特定可能な情報に基づいて、抽選の存在をユーザが認知した場所を場所データベース２２から特定して、抽選の結果獲得された有形の商品を、特定された場所に送付するための指示を出力する。このため、本実施形態に係るシステム９では、抽選の存在をユーザが認知した場所（例えば、店舗）と、獲得商品が送付される場所（ユーザが獲得商品を受け取る場所）とを一致させることが可能となり、認知場所となる店舗等での商品プロモーションに対するインセンティブとなる。
【００７６】
第一の権限付与部２７は、商品に係る描画用データの、所定の期間に限定された表示権限を、商品を未だ獲得していない未獲得ユーザに付与する。ここで、所定の期間は、商品の抽選可能期間及び抽選告知期間の少なくとも何れか一方を含む期間である、
【００７７】
第二の権限付与部２８は、抽選の結果獲得された商品に係る描画用データの、所定の期間に限定されない表示権限を、獲得ユーザに付与する。ここで、所定の期間に限定されない表示権限は、例えば、サービスが継続する限り継続する、期間を限定されない表示権限等である。但し、ここで与えられる表示権限の期間には、第一の権限付与部２７によって与えられる所定の期間よりも長い期間が設定されていればよく、本開示における例示に限定されない。
【００７８】
また、本実施形態に係るユーザ端末３は、ＣＰＵ３１が、ＲＯＭ３２及びＲＡＭ３３等に展開された各種プログラムを解釈及び実行することで、データ取得部４１、画像生成部４２、画像出力部４３、抽選要求部４４、場所情報通知部４５、第一の権限取得部４６及び第二の権限取得部４７を備えるユーザ端末３として機能する。本実施形態では、これらの機能がいずれも汎用のＣＰＵ３１によって実行される例について説明するが、これらの機能は、その一部又は全部が、１又は複数の専用のプロセッサによって実現されてもよい。また、ユーザ端末３が備える各機能部は、遠隔に、及び／又は分散して（例えば、クラウド上に）実装されてよい。また、これらの機能部は、単一のソフトウェアモジュールではなく、複数のソフトウェアモジュールによって実現されていてもよい。
【００７９】
データ取得部４１は、有形の商品の識別情報と当該商品を描画するための描画用データとを、サーバ装置１から取得する。
【００８０】
画像生成部４２は、商品確認画像として、ユーザ端末３が入力装置３６として備えるカメラからの入力画像に、描画用データに基づいて描画された商品画像を合成した拡張現実画像を生成する、
【００８１】
画像出力部４３は、商品確認画像を、ユーザ端末３が出力装置３７として備えるタッチパネル付ディスプレイ等の表示装置に出力する。
【００８２】
抽選要求部４４は、商品の抽選要求をサーバ装置１に送信する。
【００８３】
場所情報通知部４５は、ユーザが抽選の存在を認知した場所を特定可能な情報を、商品が獲得された場合の有形の商品の送付先を特定するための情報としてサーバ装置１に通知する。
【００８４】
第一の権限取得部４６は、未獲得の商品に係る描画用データの、所定の期間に限定された表示権限を、サーバ装置１から取得する。
【００８５】
第二の権限取得部４７は、抽選要求に応じて行われた抽選の結果獲得された商品に係る描画用データの、所定の期間に限定されない表示権限を、サーバ装置１から取得する。
【００８６】
＜処理の流れ＞
次に、本実施形態において実行される処理の流れを説明する。なお、実施形態に示された処理の具体的な内容及び処理順序は、本開示を実施するための一例である。具体的な処理内容及び処理順序は、本開示の実施の形態に応じて適宜選択されてよい。
【００８７】
本サービスを利用するユーザは、はじめに、所定の店舗（本サービスの商品の受け取り場所となる店舗）にて、本サービスによって提供される抽選イベントを認知する。抽選イベントでは、例えば、所定のキャラクターに関する知的財産権を有するものから許諾を受けたキャラクターグッズが、くじ引きを介して提供される。ユーザは、抽選イベントを認知すると、ユーザ端末３にインストールされた、本サービスを利用するためのアプリケーションソフトウェア（専用のアプリケーションソフトウェアであってもよいし、Ｗｅｂブラウザ等の汎用のソフトウェアであってもよい）を起動し、トップページ（ホームページ）に表示された抽選イベントの一覧（同時に複数の抽選イベントが提供されてよい）から所望の抽選イベントを選択する。抽選イベントが選択されると、ユーザ端末３には、選択された抽選イベントで抽選を行なった場合に獲得される可能性がある１又は複数種類の商品を含む商品ラインナップが表示される。ユーザは、ユーザ端末３に表示された商品ラインナップを確認する。
【００８８】
図１１は、第五の実施形態に係る抽選イベント処理の流れを示すシーケンス図である。シーケンス図に示された処理は、ユーザ端末３において、表示された商品ラインナップから何れかの商品がユーザによって選択されたことを契機として実行される。
【００８９】
ステップステップＳ５０１からステップＳ５０７では、サーバ装置１からユーザ端末３に対して、描画用データの表示権限付与及びデータ送信が行われる。本実施形態では、ユーザ端末３には、当該商品の画像をＡＲで描画・表示可能な描画用データと、当該抽選イベントの開催期間中に商品を確認する目的に限って当該描画用データを描画・表示を許可する表示権限とが与えられる。ユーザが、ユーザ端末３に表示された商品ラインナップから何れかの商品を選択すると、ユーザ端末３は、サーバ装置１に対して、選択された商品のデータ要求を送信する（ステップＳ５０１）。サーバ装置１によってデータ要求が受信されると（ステップＳ５０２）、データ送信部２３は、有形の商品の識別情報及び当該商品の描画用データを商品データベース２１から取得し（ステップＳ５０３）、第一の権限付与部２７は、商品に係る描画用データの、所定の期間に限定された表示権限を、未獲得ユーザに付与する（ステップＳ５０４）。そして、サーバ装置１は、商品の識別情報、描画用データ及び表示権限付与のための情報を、ユーザ端末３に対して送信する（ステップＳ５０５）。
【００９０】
ユーザ端末３のデータ取得部４１は、サーバ装置１から送信された、商品の識別情報、当該商品を描画するための描画用データ及び当該描画用データの表示権限付与のための情報を受信し（ステップＳ５０６）、第一の権限取得部４６は、受信された情報に基づいて、未獲得の商品に係る描画用データの、所定の期間に限定された表示権限を取得する（ステップＳ５０７）。その後、処理はステップＳ５０８へ進む。
【００９１】
ステップＳ５０８及びステップＳ５０９では、商品を確認するための画像が生成及び出力される。画像生成部４２は、描画用データに基づいて描画された商品画像を含む商品確認画像を生成する（ステップＳ５０８）。そして、画像出力部４３は、商品確認画像を表示装置に出力する（ステップＳ５０９）。その後、処理はステップＳ５１０へ進む。
【００９２】
図１２は、本実施形態における、商品確認画像（回転可能表示画面）が表示されたユーザ端末３の一例を示す図である。本実施形態では、ダウンロードされた描画用データ及び表示権限に基づいて、ユーザ端末３に、タッチセンサや加速度センサ、角速度センサ等へのユーザ入力に従って全方向に回転表示可能な、商品の３Ｄ画像を含む商品確認画面が表示される。なお、図中の破線矢印は、ユーザ入力に応じて商品の３Ｄ画像を全方向に回転可能であることを示す。
【００９３】
図１３は、本実施形態における、商品確認画像（ＡＲ表示画面）が表示されたユーザ端末３の一例を示す図である。商品確認画面においてユーザがＡＲ表示を選択すると、ユーザ端末３のカメラ入力画像に商品の３Ｄ画像が合成された、ＡＲによる商品確認画面が表示される。ここで、ユーザ端末３は、ユーザ端末３が備える加速度センサ、角速度センサ及び深度センサ等からの入力に基づいて、カメラで撮像されている現実空間に座標系を設定し、当該現実空間の座標系と、商品の３Ｄ画像を描画する仮想空間の座標系とを合わせることで、現実空間におけるカメラの動きに仮想空間におけるカメラの動きを追従させ、商品が実際に現実空間に配置されているようにカメラ入力画像に商品の３Ｄ画像が合成されたＡＲ画像を生成する。このようにすることで、ユーザは、商品の、単なる商品写真では伝わらない細部や臨場感（例えば、商品が実際に自分の机７に置かれた場合にどのような見た目になるか）を、抽選の前に確認することが出来る。なお、図中の破線矢印は、各種センサによって検知されるユーザ端末３の動きを示す。図１３によれば、ユーザ端末３の位置及び姿勢に応じて、あたかも商品の実物が机７の上に載せられているように、商品の３Ｄ画像を様々な角度から観察可能であることが分かる。
【００９４】
ステップＳ５１０では、抽選要求が送信される。商品を確認したユーザが抽選を行いたいと所望した場合、ユーザは、ユーザ端末３を介して抽選指示を行うことが出来る。この際、ユーザが既に決済手段と紐づけられたアカウントでログイン済みである場合、画面は抽選画面に進む。一方、ユーザが未ログインである場合には、ログイン／ユーザ登録画面が表示され、ログイン又はユーザ登録が行われる。なお、ログイン手段には、ユーザ名及びパスワードを入力する手段の他、生体認証等様々な手段を用いることが可能であり、ログイン手段は限定されない。そして、ユーザは、ユーザ端末３において、選択した抽選イベントにおける抽選回数（くじ引き回数）を入力し、抽選指示を入力する。商品を画像で確認したユーザによる操作に基づいて、抽選要求部４４は、商品の抽選要求をサーバ装置１に送信する。その後、処理はステップＳ５１１へ進む。
【００９５】
ステップＳ５１１及びステップＳ５１２では、商品の抽選が行われる。ユーザ端末３から送信された抽選要求（抽選回数を含む）が受信されると（ステップＳ５１１）、サーバ装置１の抽選部２４は、抽選回数において指定された回数分、商品の抽選を行う（ステップＳ５１２）。なお、抽選部２４による抽選は、必ず何らかの商品が獲得出来る抽選であってよいし、商品が獲得出来ない可能性がある抽選であってもよい。抽選によって何の商品も獲得されなかった場合、処理は終了する。抽選によって何らかの商品が獲得された場合、処理はステップＳ５１４へ進む。
【００９６】
図１４は、本実施形態にかかる抽選演出画面が表示されたユーザ端末３の一例を示す図である。ユーザ端末３からサーバ装置１に対して抽選指示が送信されると、ユーザ端末３は、抽選の演出画像を表示する（ステップＳ５１３）。本実施形態では、ユーザ端末３のカメラから入力された現実空間の画像に、抽選イベントで獲得される可能性がある複数の商品の写真が配されたオブジェクト（商品の３Ｄグラフィックであってもよい）が、画面中央に設けられた軸（図中の破線縦軸を参照）を中心に回転する画像が合成された演出画像が表示される。なお、図中の破線矢印は、複数の商品画像が回転表示されていることを示す。演出画像の表示後、ユーザ端末３は、サーバ装置１から受信した抽選結果に従って、獲得された商品の情報を表示する。
【００９７】
ステップＳ５１４及びＳ５１５では、サーバ装置１からユーザ端末３に対して、獲得された商品の描画用データの表示権限付与が行われる。本実施形態では、同一商品が初めて獲得された際、ユーザには、期間を限定されずに（例えば、サービスが継続する限り継続する）獲得商品の描画用データを描画・表示を許可する表示権限が与えられる。抽選の結果、商品が獲得されると、第二の権限付与部２８は、抽選の結果獲得された商品に係る描画用データの、所定の期間に限定されない表示権限を、獲得ユーザに付与する（ステップＳ５１４）。第二の権限取得部４７は、抽選要求に応じて行われた抽選の結果獲得された商品に係る描画用データの、所定の期間に限定されない表示権限を、サーバ装置１から取得する（ステップＳ５１５）。このため、ユーザは、獲得商品の描画用データを自身のユーザ端末３にダウンロードし、獲得商品の画像をＡＲで描画・表示させて楽しむことが出来る。その後、処理はステップＳ５１６へ進む。
【００９８】
ステップＳ５１６では、ユーザ端末３からサーバ装置１に対して、商品の送付先、又は当該送付先を特定するための情報が送信される。ユーザ端末３は、ユーザのアカウントに紐づけられたマイページを表示させ、ユーザに、商品の受取情報を登録させる。本実施形態において、受取情報には、ユーザの名称及び商品の受取店舗が含まれる。ユーザは、ユーザ端末３の入力装置３６を介してユーザの名称を入力し、更に、商品の受取店舗を選択する。場所情報通知部４５は、ユーザが抽選の存在を認知した場所（本実施形態では、店舗）を特定可能な情報（例えば、ユーザによって選択された店舗の店舗ＩＤ、ユーザ端末３の位置情報、ユーザ端末３側で位置情報に基づいて特定された店舗ＩＤ、ユーザによって入力された住所に基づいて特定された店舗ＩＤ、等）を、商品が獲得された場合の有形の商品の送付先を特定するための情報としてサーバ装置１に送信する。その後、処理はステップＳ５１７へ進む。
【００９９】
ステップＳ５１７からステップＳ５１９では、獲得された商品の製造及び発送の手配が行われる。サーバ装置１の場所情報取得部２５は、抽選の存在をユーザが認知した場所（本実施形態では、店舗）を特定可能な情報を、当該ユーザのユーザ端末３から受信する（ステップＳ５１７）。なお、本実施形態では、抽選後のタイミングで場所を特定可能な情報をユーザ端末３から取得することとしているが、当該情報は商品の送付指示の前に取得されていればよく、当該情報の取得タイミングは、本開示に示された例に限定されない。ユーザによって商品の受取情報が登録されると、サーバ装置１は、商品の製造及び配送の手配処理を行う。送付指示部２６は、ユーザ端末３から取得された場所を特定可能な情報に基づいて、当該場所（店舗）を場所データベース２２から特定して（ステップＳ５１８）、抽選の結果獲得された有形の商品を、特定された場所（店舗）に送付するための指示を出力する（ステップＳ５１９）。このため、獲得ユーザは、獲得された商品を、所定の場所において受け取ることが出来る。
【０１００】
なお、ステップＳ５１５で取得された表示権限は、所定の期間に限定されない表示権限である。このため、獲得ユーザは、獲得された商品に係る描画用データを、所定の期間を過ぎた後も、ユーザの所望のタイミングで、抽選用のアプリケーションソフトウェア又はその他のアプリケーションソフトウェアに描画させ（ステップＳ５２０）、表示させる（ステップＳ５２１）ことが出来る。この際、表示権限が与えられた描画用データを描画・表示するためのソフトウェア及びシステムには、本オンラインくじサービス用のソフトウェア及びシステムとは異なるソフトウェア及びシステムが用いられてよい。なお、ここで表示される商品確認画像は、図１２及び図１３を用いて説明されたものと概略同様であるため、説明を省略する。
【０１０１】
本実施形態に係るサービスは、システム提供企業、商品提供企業及び商品配送企業によって共同で提供される。システム提供企業がサービス展開及びユーザ問い合わせを担当し、商品提供企業が商品及び商品のＩＰを提供し、商品配送企業がユーザー指定可能な店舗チェーンへの商品配送を担当する。本実施形態では、ユーザが行う抽選及び商品代金の決済は、システム提供企業が管理・運営するサーバ装置１で行われ、ユーザに対するカスタマーサポートについても、システム提供企業によって行われる。また、商品提供企業は、商品の製造及び出荷を行う。また、商品配送企業は、商品提供企業から納品された商品を、商品配送企業の物流センターからユーザが指定する配送先（本実施形態では、商品配送企業が運営する店舗チェーンに属する店舗）に配送し、当該店舗において、商品をユーザに対して受け渡す。但し、本実施形態において説明したサービスの提供形態は、本開示に係る技術を実施する際の一例であり、サービスの提供形態は、本実施形態において説明した例に限定されない。
【０１０２】
本実施形態に係るシステム９によれば、商品を受注生産とすることが出来るため、サービスの提供者や店舗は在庫が不要であり、また、ユーザがＡＲで商品の実物が存在するかのように商品を確認することが出来るため、店舗に商品をディスプレイしなくてもよい。このため、本実施形態に係るシステム９によれば、比較的大きなサイズの商品であっても容易に提供することが可能となる。更に、店舗に商品をディスプレイしなくてもよく、また、店舗に抽選用の機材を設置しなくてもよいため、多くの店舗で商品のプロモーション（例えば、プレスリリース、店舗の雑誌ボード上告知、ＰＯＳレジ広告、店舗内放送等。なお、システム提供企業、商品提供企業及び商品配送企業による共同プロモーションであってよい）を行うことが可能である。
【０１０３】
［その他のバリエーション］
上記説明した実施の形態は、本開示を実施する場合の一例を示すものであって、本開示を上記説明した具体的構成に限定するものではない。本開示の実施にあたっては、実施の形態に応じた具体的構成が適宜採用されてよい。
【０１０４】
上記説明した実施形態において、ユーザは、抽選の存在を認知した後、サーバ装置とネットワークを介して通信可能な任意の場所で抽選要求を行うことが出来る。但し、ユーザがユーザ端末を用いて抽選要求を行うことが可能な場所は限定されてもよい。例えば、ユーザ端末で取得された位置情報や所定のビーコン（無線ＬＡＮの信号等）に基づいて、ユーザ端末が所定の場所（例えば、商品の配送先として指定可能な店舗の近傍）にあることを確認できた場合にのみ、抽選を可能としてもよい。このようにすることで、ユーザが抽選の存在を認知する場所、抽選を行う場所、及び商品を受け取る場所を、より密接に関連付けることが可能となる。なお、抽選可能か否かの位置情報等に基づく判定は、ユーザ端末によって行われてもよいし、ユーザ端末から位置情報等を受信したサーバ装置によって行われてもよい。
【符号の説明】
【０１０５】
１  サーバ装置
３  ユーザ端末
９  情報処理システム
【要約】
【課題】本開示の少なくとも１つの実施形態の目的は、抽選を介して商品が獲得されるサービスにおいて、消費者の利便性や購入意欲を減退させることなく、商品展開の制約を少なくすることである。
【解決手段】サーバ装置に、商品を描画するための描画用データをユーザ端末に送信するデータ送信部と、商品に係る描画用データの、所定の期間に限定された表示権限を、該商品を獲得していない未獲得ユーザに付与する第一の権限付与部と、ユーザ端末からの抽選要求に応じて、商品の抽選を行う抽選部と、抽選の結果獲得された有形の商品をユーザに対応する所定の場所に送付するための指示を出力する送付指示部と、抽選の結果獲得された商品に係る描画用データの、所定の期間に限定されない表示権限を、獲得ユーザに付与する第二の権限付与部と、を備えた。
【選択図】図１【図１】
0006938720.tif 000002
【図２】
0006938720.tif 000003
【図３】
0006938720.tif 000004
【図４】
0006938720.tif 000005
【図５】
0006938720.tif 000006
【図６】
0006938720.tif 000007
【図７】
0006938720.tif 000008
【図８】
0006938720.tif 000009
【図９】
0006938720.tif 000010
【図１０】
0006938720.tif 000011
【図１１】
0006938720.tif 000012
【図１２】
0006938720.tif 000013
【図１３】
0006938720.tif 000014
【図１４】
0006938720.tif 000015